(57)【要約】      （修正有）【課題】取り付けるにあたり被装飾物を傷つけることなく着脱が容易な装飾体を提供する。【解決手段】装飾体１００は、ボタンを備える被装飾物を装飾する装飾部材２０と、装飾部材に設けられボタンが挿通される嵌着孔１０と、を備え、嵌着孔は、スリット形状に形成されている狭隘部１１と、狭隘部に対し開口幅の広い拡幅部１２と、を備える。【選択図】図１
0003226367.tif 000002
【実用新案登録請求の範囲】
【請求項１】
ボタンを備える被装飾物を装飾する装飾部材と、
前記装飾部材に設けられ前記ボタンが挿通される嵌着孔と、を備え、
前記嵌着孔は、
スリット形状に形成されている狭隘部と、
前記狭隘部に対し開口幅の広い拡幅部と、を備える、装飾体。
【請求項２】
前記拡幅部は、
円形である、請求項１に記載の装飾体。
【請求項３】
前記拡幅部は、
前記嵌着孔の上端に位置する、請求項１又は２に記載の装飾体。
【請求項４】
前記嵌着孔は、
前記装飾部材の重心よりも上に位置する、請求項３に記載の装飾体。
【請求項５】
前記拡幅部は、
前記嵌着孔の中央に位置する、請求項１又は２に記載の装飾体。
【請求項６】
前記嵌着孔は、
前記装飾部材の重心と重なって配置されている、請求項５に記載の装飾体。
【考案の詳細な説明】
【技術分野】
【０００１】
本考案は、装飾体に関する。
【背景技術】
【０００２】
従来、衣服や鞄などを装飾するための装飾体として、様々なものが提案されている。例えば、装飾体本体の裏側に安全ピンを備えた装飾体であって、衣服等の任意の場所に取り付け可能に構成されたものがある。また、特許文献１には、装飾体本体の裏側に筒状に形成されたテープ状の素材である取付部材を備えた装飾体が開示されている。装飾体の取付部材は、感熱性接着剤が塗布されて、被装飾物の表面に接着剤又は縫製により固定される。特許文献１に開示されている装飾体によれば、装飾体本体を被装飾物の任意の箇所に固定することができる。
【先行技術文献】
【特許文献】
【０００３】
【特許文献１】特許６５８２２２０号公報
【考案の概要】
【考案が解決しようとする課題】
【０００４】
しかし、安全ピンを用いた従来の装飾体においては、衣服等に安全ピンを通すことにより装飾体を被装飾物に固定するため、固定するにあたり衣服等を傷つけてしまうという課題があった。また、特許文献１に開示された装飾体においては、取付部材を加熱することにより装飾体を被装飾物に接着固定する、又は取付部材と被装飾物とを縫い合わせる必要がある。従って、装飾体は、被装飾物への着脱が困難であるという課題があった。
【０００５】
本考案は、上記の課題を解決するものであり、取り付けるにあたり被装飾物を傷つけることなく着脱が容易な装飾体を提供することを目的とする。
【課題を解決するための手段】
【０００６】
本考案に係る装飾体は、ボタンを備える被装飾物を装飾する装飾部材と、前記装飾部材に設けられ前記ボタンが挿通される嵌着孔と、を備え、前記嵌着孔は、スリット形状に形成されている狭隘部と、前記狭隘部に対し開口幅の広い拡幅部と、を備える。
【考案の効果】
【０００７】
上記の構成により、装飾体は、以下の効果を奏する。本考案によれば、装飾体は、ボタンを備える被装飾物に容易に取り付けが可能である。また、ボタンを嵌着孔に挿通させて被装飾物に取り付けられるため、被装飾物を傷つけることが無い。さらに、拡幅部にボタンと被装飾物との間を接続する基部が嵌ることにより、装飾体は、所望の位置に取り付けることができる。
【図面の簡単な説明】
【０００８】
【図１】本考案の実施の形態１に係る装飾体１００の平面図である。
【図２】本考案の実施の形態１に係る装飾体１００を被装飾物５０に取り付けた状態を示している。
【図３】図２のＡ−Ａ部の断面の模式図である。
【図４】実施の形態２に係る装飾体２００の平面図である。
【考案を実施するための形態】
【０００９】
以下に、本考案に係る装飾体１００の実施の形態について説明する。なお、図面の形態は一例であり、本考案を限定するものではない。また、各図において同一の符号を付したものは、同一のまたはこれに相当するものであり、これは明細書の全文において共通している。さらに、以下の図面では各構成部材の大きさの関係が実際のものとは異なる場合がある。
【００１０】
実施の形態１．
図１は、本考案の実施の形態１に係る装飾体１００の平面図である。図１に示される装飾体１００は、被装飾物５０（図２及び図３を参照）と被装飾物５０に固定されたボタン５１（図２及び図３を参照）との間に配置され、被装飾物５０を装飾するものである。例えば、被装飾物５０は、ボタン５１のついた被服、鞄又は帽子等である。装飾体１００は、ボタン５１を嵌着孔１０に通すことにより、ボタン５１と被装飾物５０の表面との間に配置される。
【００１１】
実施の形態１において、装飾体１００は、例えば刺繍体である装飾部材２０を備える。装飾部材２０は、布地に刺繍が施された刺繍体である。実施の形態１において、装飾体１００は、装飾部材２０を複数組み合わせて構成されていても良い。ただし、装飾部材２０は、刺繍体のみに限定されるものではなく、例えばその他の装飾が施された布地等であっても良い。また、装飾部材２０に設けられた嵌着孔１０の周縁は、嵌着孔１０の周縁を補強するための補強刺繍１３が施されている。また、実施の形態１に係る装飾体１００においては、補強刺繍１３の周囲も刺繍により形成されている。また、装飾体１００の図１に示されている面と反対側の面には、例えばサテン生地が貼り付けられている。
【００１２】
嵌着孔１０は、細長いスリット状に形成されており、長手方向を図１の上下方向に向けて配置されている。装飾体１００は、被装飾物５０に設けられているボタン５１に取り付けられるものであり、嵌着孔１０の長手方向の寸法、すなわち上下方向の寸法は、ボタン５１が挿通できる程度の大きさに形成されている。実施の形態１においては、嵌着孔１０は、幅の狭い狭隘部１１と、狭隘部１１よりも開口幅の広い拡幅部１２が形成されている。狭隘部１１は、嵌着孔１０の大部分を構成し、ボタン５１をボタン５１の端縁から通過させることができる開口幅を有するスリットである。なお、開口幅とは、嵌着孔１０の図１の左右方向の寸法をいう。拡幅部１２は、狭隘部１１よりも開口幅が広く形成されて部分であり、実施の形態１においては円弧形状であり、狭隘部１１と連続して形成されている。拡幅部１２は、狭隘部１１の上端に設けられている。拡幅部１２は、円弧形状に限定されるものではなく、楕円形状又は矩形状等のその他の形状を取ることができる。
【００１３】
図２は、本考案の実施の形態１に係る装飾体１００を被装飾物５０に取り付けた状態を示している。図２には、被装飾物５０の表面に垂直な視点の図である。図３は、図２のＡ−Ａ部の断面の模式図である。装飾体１００は、その表面にボタン５１が取り付けられている。ボタン５１は、糸５２により被装飾物５０の表面に固定されている。糸５２は、孔５４を通して被装飾物５０とボタン５１とを接続しており、被装飾物５０とボタン５１との間においてボタン基部５３を形成している。実施の形態１においては、ボタン基部５３は、糸５２により形成されているが、ボタン５１に形成された足等のボタン５１と被装飾物５０との間を接続する部材であれば、他の形態をとることもできる。
【００１４】
装飾体１００は、被装飾物５０に取り付けられる際にボタン５１をボタン５１の端縁から嵌着孔１０に挿入し、ボタン５１を装飾体１００の裏側から表側に通すことにより被装飾物５０に取り付けられる。ボタン５１が嵌着孔１０に通された後、ボタン基部５３は、拡幅部１２に位置するように移動させる。ボタン基部５３は、拡幅部１２に嵌り、幅の狭い狭隘部１１に移動しにくくなるため、ボタン５１と装飾体１００との相対位置が決まる。
【００１５】
装飾体１００の重心１５は、嵌着孔１０の下方に位置している。そのため、装飾体１００は、ボタン５１に吊り下がるように配置される。実施の形態１の装飾体１００は、重心１５から最も離れた嵌着孔１０の上端に拡幅部１２が形成されており、ボタン５１のボタン基部５３に吊り下げるのに都合の良い形状になっている。
【００１６】
（実施の形態１の効果）
実施の形態１に係る装飾体１００は、ボタン５１を備える被装飾物５０を装飾する装飾部材２０と、装飾部材２０に設けられ、ボタン５１が挿通される嵌着孔１０と、を備える。嵌着孔１０は、開口幅が狭い狭隘部１１と、狭隘部１１に対し開口幅の広い拡幅部１２と、を備える。
このように構成されることにより、装飾体１００は、嵌着孔１０に容易にボタン５１を挿通させて、衣服等のボタン５１に固定される。これにより、装飾体１００は、衣服等の被装飾物５０を傷つけることなく着脱を容易に行うことができる。
【００１７】
また、拡幅部１２は、円形であり、狭隘部１１は、スリット状に形成されている。
このように構成されることにより、装飾体１００に大きな開口を設けることなくボタン５１を嵌着孔１０に挿通させることができるため、装飾体１００は、装飾性を低下させることなく、被装飾物５０に取り付け自在な構造となる。
【００１８】
さらに、実施の形態１においては、拡幅部１２は、嵌着孔１０の上端に位置する。そして、嵌着孔１０は、装飾部材２０の重心１５よりも上に位置する。このように構成されることにより、装飾体１００は、拡幅部１２がボタン基部５３に嵌り、吊り下げられるように被装飾物５０に取り付けることができる。そして、装飾体１００は、被装飾物５０から容易に外れることがないように取り付けられる。
【００１９】
実施の形態２．
実施の形態２に係る装飾体２００は、実施の形態１に係る装飾体１００に対し、装飾部材２０の形状並びに嵌着孔１０の位置及び形状を変更したものである。実施の形態２においては、実施の形態１に係る装飾体１００との相違点を中心に説明する。
【００２０】
図４は、実施の形態２に係る装飾体２００の平面図である。装飾体２００は、装飾部材２２０と、装飾部材２２０の概ね中央部に嵌着孔２１０と、を備える。嵌着孔２１０は、図４の上下方向に長手方向を向けて配置されている。嵌着孔２１０の中央部には拡幅部２１２が形成されており、拡幅部２１２を挟んで上下に狭隘部２１１が配置されている。
【００２１】
嵌着孔２１０は、装飾体２００の重心と重なって配置されており、実施の形態２においては、嵌着孔２１０の拡幅部２１２と重なっている。実施の形態２に係る装飾体２００は、実施の形態１に係る装飾体１００と同様に被装飾物５０のボタン５１に取り付けられるものである。装飾体２００の嵌着孔２１０の拡幅部２１２は、ボタン基部５３と嵌り合い、位置が決まる。これにより、装飾体２００は、装飾体２００の概ね中央部にボタン５１が位置するように配置され、位置が決まる。
【００２２】
実施の形態２に係る装飾体２００の拡幅部２１２は、嵌着孔２１０の中央に位置する。また、嵌着孔２１０は、装飾部材２２０の重心１５と重なって配置されている。このように構成されることにより、装飾体２００は、中央部にボタン５１が位置するように被装飾物５０に取り付けることができる。なお、装飾体２００においては拡幅部２１２が嵌着孔２１０の中央部に位置しているが、装飾体２００のデザイン、特に重心１５の位置に応じて、拡幅部２１２の嵌着孔２１０における位置は変更することができる。例えば、拡幅部２１２は、中央でなくとも上方向にずれた位置に配置しても良い。
【符号の説明】
【００２３】
１０  嵌着孔、１１  狭隘部、１２  拡幅部、１３  補強刺繍、１５  重心、２０  装飾部材、５０  被装飾物、５１  ボタン、５２  糸、５３  ボタン基部、５４  孔、１００  装飾体、２００  装飾体、２１０  嵌着孔、２１１  狭隘部、２１２  拡幅部、２２０  装飾部材。
【図１】
0003226367.tif 000003
【図２】
0003226367.tif 000004
【図３】
0003226367.tif 000005
【図４】
0003226367.tif 000006